(57)【要約】【課題】小型化が可能なレンズ鏡筒を提供する。【解決手段】本発明のレンズ鏡筒（２０）は、第１係合部（５２）を有し、絞り動作に応じて駆動される駆動部材（５０）と、前記第１係合部（５２）と係合する第２係合部（７５Ａ)を有し、前記駆動部材（５０）の駆動が前記第１係合部（５２）及び前記第２係合部（７５Ａ)を介して伝達され、絞り動作が行われる絞り部材（７０)と、前記絞り部材（７０)の回転を制限する回転制限板（６０）と、前記駆動部材（５０）と前記絞り部材（７０)との間に配置され、光軸に沿って移動する被電気供給部（３０）と、前記被電気供給部（３０）と電気供給部（９０）とを接続する可撓性電気接続部材（８０，８０Ｘ，８０Ｙ）と、を備え、前記可撓性電気接続部材（８０，８０Ｘ，８０Ｙ）が、前記回転制限板（６０）に保持されていること、を特徴とする。【選択図】図２
2011248009.tif 000002
【特許請求の範囲】
【請求項１】
第１係合部を有し、絞り動作に応じて駆動される駆動部材と、
前記第１係合部と係合する第２係合部を有し、前記駆動部材の駆動が前記第１係合部及び前記第２係合部を介して伝達され、絞り動作が行われる絞り部材と、
前記絞り部材の回転を制限する回転制限板と、
前記駆動部材と前記絞り部材との間に配置され、光軸に沿って移動する被電気供給部と、
前記被電気供給部と電気供給部とを接続する可撓性電気接続部材と、
を備え、
前記可撓性電気接続部材が、前記回転制限板に保持されていること、
ことを特徴とするレンズ鏡筒。
【請求項２】
請求項１に記載のレンズ鏡筒であって、
前記被電気供給部は、ブレ補正を行うブレ補正ユニットであること、
を特徴とするレンズ鏡筒。
【請求項３】
請求項１または２に記載のレンズ鏡筒であって、
前記回転制限板は、前記駆動部材及び前記絞り部材の外周側に配置された固定筒に固定され、
前記可撓性電気接続部材の一端は前記固定筒に固定されていること、
を特徴とするレンズ鏡筒。
【請求項４】
請求項１から３のいずれか１項に記載のレンズ鏡筒であって、
前記可撓性電気接続部材は、前記回転制限板の固定端側から該回転制限板に沿って延び、該回転制限板の一面に固定されている固定部と、
該固定部における前記固定端と反対側の端部から折れ曲がり、該固定部と重なって前記回転制限板に沿って前記固定端側に延びる第１折曲部と、
前記第１折曲部の前記固定端側の端部で再度折れ曲がり、前記第１折曲部と重なって前記回転制限板に沿って延びる第２折曲部と、
を備え、該第２折曲部が前記被電気供給部に接続されていること
を特徴とするレンズ鏡筒。
【請求項５】
請求項１〜４のいずれか１項に記載のレンズ鏡筒を備えるカメラ。
【発明の詳細な説明】
【技術分野】
【０００１】
本発明は、レンズ鏡筒及びカメラに関するものである。
【背景技術】
【０００２】
従来、絞込みレバーを有し、絞り動作に応じて駆動される絞り操作環部材と、絞込みレバーと係合するレバー係合突起を有し、絞り操作環部材の駆動が絞込みレバー及び絞りレバー係合突起を介して伝達され、絞り動作が行われる絞り部材と、絞り部材の回転を制限する回転制限板と、を備えるレンズ鏡筒がある（たとえば、特許文献１参照）。そのようなレンズ鏡筒において、駆動部材と絞り部材との間に配置され、光軸に沿って移動するＶＲユニットと、ＶＲユニットと回路基板とを接続するフレキシブルプリント基板とが設けられているものがある。
【先行技術文献】
【特許文献】
【０００３】
【特許文献１】実開平４−１２９１３５号公報
【発明の概要】
【発明が解決しようとする課題】
【０００４】
従来、このようなレンズ鏡筒では、光軸方向に移動可能なＶＲユニットと、固定されている回路基板と、をフレキシブルプリント基板で接続する際に、当該フレキシブルプリント基板を這わせるための専用部材が光軸に沿って設けられており、レンズ鏡筒の小型化の支障となっていた。
【０００５】
本発明の課題は、小型化が可能なレンズ鏡筒及びカメラを提供することである。
【課題を解決するための手段】
【０００６】
本発明は、以下のような解決手段により前記課題を解決する。なお、理解を容易にするために、本発明の実施形態に対応する符号を付して説明するが、これに限定されるものではない。
【０００７】
請求項１に記載の発明は、第１係合部（５２）を有し、絞り動作に応じて駆動される駆動部材（５０）と、前記第１係合部（５２）と係合する第２係合部（７５Ａ)を有し、前記駆動部材（５０）の駆動が前記第１係合部（５２）及び前記第２係合部（７５Ａ)を介して伝達され、絞り動作が行われる絞り部材（７０)と、前記絞り部材（７０)の回転を制限する回転制限板（６０）と、前記駆動部材（５０）と前記絞り部材（７０)との間に配置され、光軸に沿って移動する被電気供給部（３０）と、前記被電気供給部（３０）と電気供給部（９０）とを接続する可撓性電気接続部材（８０，８０Ｘ，８０Ｙ）と、を備え、前記可撓性電気接続部材（８０，８０Ｘ，８０Ｙ）が、前記回転制限板（６０）に保持されていること、を特徴とするレンズ鏡筒（２０）である。
請求項２に記載の発明は、請求項１に記載のレンズ鏡筒（２０）であって、前記被電気供給部は、ブレ補正を行うブレ補正ユニット（３０）であること、を特徴とするレンズ鏡筒（２０）である。
請求項３に記載の発明は、請求項１または２に記載のレンズ鏡筒（２０）であって、前記回転制限板（６０）は、前記駆動部材（５０）及び前記絞り部材（７０)の外周側に配置された固定筒（２１，２２）に固定され、前記可撓性電気接続部材（８０，８０Ｘ，８０Ｙ）の一端は前記固定筒（２１，２２）に固定されていること、を特徴とするレンズ鏡筒（２０）である。
請求項４に記載の発明は、請求項１から３のいずれか１項に記載のレンズ鏡筒（２０）であって、前記可撓性電気接続部材（８０，８０Ｘ，８０Ｙ）は、前記回転制限板（６０）の固定端側から該回転制限板（６０）に沿って延び、該回転制限板（６０）の一面に固定されている固定部（８１）と、該固定部（８１）における前記固定端と反対側の端部から折れ曲がり、該固定部（８１）と重なって前記回転制限板（６０）に沿って前記固定端側に延びる第１折曲部（８２）と、前記第１折曲部（８２）の前記固定端側の端部で再度折れ曲がり、前記第１折曲部（８２）と重なって前記回転制限板（６０）に沿って延びる第２折曲部（８４）と、を備え、該第２折曲部（８４）が前記被電気供給部（３０）に接続されていることを特徴とするレンズ鏡筒（２０）である。
請求項５に記載の発明は、請求項１〜４のいずれか１項に記載のレンズ鏡筒（２０）を備えるカメラ（１）である。
なお、符号を付して説明した構成は、適宜改良してもよく、また、少なくとも一部を他の構成物に代替してもよい。
【発明の効果】
【０００８】
本発明によれば、小型化が可能なレンズ鏡筒及びカメラを提供することができる。
【図面の簡単な説明】
【０００９】
【図１】本発明の一実施形態を適用したカメラを模式的に示す図である。
【図２】絞り機構の主要部を抽出して斜め背面側から見た斜視図である。
【図３】回転制限板およびフレキシブルプリント基板の装着構造を説明する固定リングを斜め背面側から見た斜視図である。
【図４】フレキシブルプリント基板の装着構造およびその作用を説明する図である。
【図５】本発明の変形例を示す図２と対応する絞り機構の斜視図である。
【発明を実施するための形態】
【００１０】
以下、図面等を参照して、本発明の実施形態を説明する。
図１は、本発明の一実施形態を適用したカメラ１を模式的に示す図である。
なお、以下に説明する各図には、説明と理解を容易にするために、ＸＹＺ直交座標系を設けた。この座標系では、撮影者が光軸ＯＡを水平として横長の画像を撮影する場合のカメラ１の位置（以下、正位置という）において撮影者から見て左側に向かう方向をＸ軸プラス方向、正位置において上側に向かう方向をＹ軸プラス方向、正位置において被写体に向かう方向をＺ軸プラス方向とする。また、以下の説明では、光軸ＯＡと平行な方向を「前後」とし、被写体側を「前面側」、他端側を「背面側」とそれぞれ称する。
【００１１】
カメラ１は、カメラボディ１０と、レンズ鏡筒２０とを備える。
カメラボディ１０は、被写体の光学像を電気信号に変換する撮像素子１１と、絞りの設定を行うボディ側連動部１２と、ボディ側連動部１２を駆動する駆動部１３とを備える。
レンズ鏡筒２０は、カメラボディ１０に着脱可能な交換レンズである。なお、本実施形態では、レンズ鏡筒２０は、交換レンズである例を示したが、これに限らず、カメラボディと一体型のレンズ鏡筒としてもよい。
【００１２】
レンズ鏡筒２０は、焦点距離が可変のいわゆるズームレンズであって、外形を形成する外筒２１の内部に、結像光学系を構成するレンズ群（第１レンズ群Ｌ１，第２レンズ群Ｌ２）と、ブレ補正ユニット３０と、結像光学系の絞り開口径を調整する絞り機構４０等を備えている。
【００１３】
外筒２１の内部には、固定筒２２と、カム筒２３とが、同心状に配置されている。
外筒２１の基端部（背面側の端部）には小径のフランジ部２１Ａが形成されている。このフランジ部２１Ａは、レンズ側マウント部２４と固定リング２５との間に固定されている。レンズ側マウント部２４は、レンズ鏡筒２０をカメラボディ１０に結合する部材である。また、外筒２１の外周には、ズーム操作環２６が回転可能に装着されている。
【００１４】
固定筒２２の基端は、固定リング２５に結合され、外筒２１に対して相対回転不能に固定されている。
カム筒２３は、固定筒２２の内周に摺動回転および移動可能に嵌合している。このカム筒２３は、図示しないカム機構を介してズーム操作環２６と連繋されており、ズーム操作環２６の回転に連動して回転すると共に当該レンズ鏡筒２０の光軸ＯＡ方向に移動するようになっている。
【００１５】
第１レンズ群Ｌ１は、カム筒２３の前端部に保持されている。従って、カム筒２３の移動に伴って光軸ＯＡ方向に移動する。
第２レンズ群Ｌ２は、ブレ補正ユニット３０に保持されている。
ブレ補正ユニット３０は、詳しい説明は省略するが、摺動筒３１の内部に、第２レンズ群Ｌ２をアクチュエータによって光軸ＯＡと直交するＸ軸方向およびＹ軸方向に移動駆動可能に構成されている。
摺動筒３１の背面側には、背面板３２が設けられている。背面板３２は、ブレ補正ユニット３０の背面を構成し、背面側に突出して後述するフレキシブルプリント基板８０を保持する基板保持部３２Ａを備えている。
【００１６】
ブレ補正ユニット３０は、摺動筒３１の外周がカム筒２３の内周に摺動移動可能に嵌合し、カム筒２３と図示しないカム機構を介して連繋している。そして、ブレ補正ユニット３０は、カム筒２３の移動および回転に伴って、回転することなく光軸ＯＡ方向に所定の関係で移動するようになっている。
【００１７】
また、ブレ補正ユニット３０には、フレキシブルプリント基板８０が接続されており、このフレキシブルプリント基板８０を介してアクチュエータ等への制御情報や駆動電力の供給等が行われるようになっている。
フレキシブルプリント基板８０は、固定リング２５の外周に配置された制御基板９０から、後述する絞り機構４０における回転制限板６０に沿って配置されて、制御基板９０とブレ補正ユニット３０とを接続している。このフレキシブルプリント基板８０の配置構造については、後に詳述する。
【００１８】
絞り機構４０は、外筒２１の基端部に配置された絞り操作環部材５０および回転制限板６０と、ブレ補正ユニット３０の前面側に配置された絞りユニット７０と、によって構成されている。
絞り機構４０は、カメラボディ１０側の操作によって、絞り開口径を調整すると共に、レンズ鏡筒２０のズーム操作に応じて絞り開放開口径を調整するものである。この絞り機構４０については、後に詳述する。
【００１９】
上記構成のレンズ鏡筒２０は、レンズ側マウント部２４を介してカメラボディ１０に装着され、第１レンズ群Ｌ１および第２レンズ群Ｌ２によって被写体像を撮像素子１１に結像させる。第１レンズ群Ｌ１および第２レンズ群Ｌ２（ブレ補正ユニット３０）は、外筒２１の外周に設けられたズーム操作環２６の回転操作によって光軸ＯＡ方向に移動する。
【００２０】
ブレ補正ユニット３０は、制御基板９０によって構成された制御装置によって制御され、図示しないブレ検出センサによるブレの検出結果に基づいてアクチュエータを駆動し、第２レンズ群Ｌ２を撮像素子に対してブレ等に起因する被写体像の像ブレを打ち消す方向に移動して、撮像素子１１の結像面における像ブレを補正する。絞り機構４０は、カメラボディ１０側の操作に応じて絞り開口径を調整する。
【００２１】
そして、カメラ１は、レンズ鏡筒２０によって結像された被写体光像を撮像素子１１によって電気信号に変換し、画像情報としてカメラボディ１０が備える図示しないメモリに記録する。
【００２２】
つぎに、図１に加えて図２〜図４を参照して、絞り機構４０とフレキシブルプリント基板８０の配置構造について詳細に説明する。
図２は、絞り機構４０の主要部を抽出して斜め背面側から見た斜視図である。この図２中、レンズ側マウント部２４、外筒２１のフランジ部２１Ａおよびブレ補正ユニット３０の大部分は省略してある。図３は、回転制限板６０およびフレキシブルプリント基板８０の装着構造を説明する固定リング２５を斜め背面側から見た斜視図である。図４は、フレキシブルプリント基板８０の装着構造およびその作用を説明する図である。
【００２３】
絞り機構４０は、前述したように、絞り操作環部材５０および回転制限板６０と、絞りユニット７０と、を備えている。
絞り操作環部材５０は、カメラボディ１０側の絞り動作に応じて駆動される円環状の部材であって、レンズ鏡筒２０の基端部に固定されたレンズ側マウント部２４の内側に回転可能に装着されている。
絞り操作環部材５０は、レンズ側連動部５１と、絞込みレバー５２と、バネかけ部５３とを備えている。
【００２４】
レンズ側連動部５１は、背面側（カメラボディ１０側）に延在して設けられており、カメラボディ１０に設けられたボディ側連動部１２に押圧操作されて、当該ボディ側連動部１２に連動して動作する部材である。
絞込みレバー５２は、前面側（絞りユニット７０側）に延在して設けられた腕状の部材であり、後述する絞りユニット７０における絞り操作部材７３の第１レバー係合突起７３Ａの係合部７３Ａａが当接係合している。
【００２５】
バネかけ部５３は、背面側に向けて突設されており、このバネかけ部５３と、レンズ側マウント部２４の内面に配置された固定ピン２７との間に、絞り操作環付勢バネ４１が掛け渡されている。
絞り操作環付勢バネ４１は、コイルスプリングであって、一端がバネかけ部５３に係合すると共に、他端がレンズ側マウント部２４の内面に配置された固定ピン２７に係合して設けられている。
これにより、絞り操作環部材５０は、絞り操作環付勢バネ４１の弾性復帰力によって図２中矢印Ａの方向に回転付勢されている。
【００２６】
回転制限板６０は、平板状の装着部６１と、この装着部６１から直角に延設された操作板部６２と、を備えている。回転制限板６０は、装着部６１がレンズ鏡筒２０の基端部に固定された固定リング２５の背面側にネジによって締着されて、固定リング２５に固定されている。
【００２７】
操作板部６２は、板状であって、その板面を光軸ＯＡに向けた姿勢で、光軸ＯＡと平行に配置されている。操作板部６２の図２中矢印Ａで示す回転方向前方側の端縁は、先細りとなる所定角度の補正勾配面６２Ａとなっている。この操作板部６２の補正勾配面６２Ａには、後述する絞りユニット７０における絞り操作部材７３の第２レバー係合突起７３Ｂの係合部７３Ｂａが当接係合している。
また、操作板部６２の内側面６２Ｂには、制御基板９０とブレ補正ユニット３０とを接続するフレキシブルプリント基板８０が配置されている。
【００２８】
絞りユニット７０は、保持部材７１と、絞り羽根７２と、絞り操作部材７３と、固定枠７４と、回転部材７５を備え、ブレ補正ユニット３０の前面側に一体に移動可能に構成されている。
保持部材７１は、絞りユニット７０の骨格を構成する円盤状の部材であって、ブレ補正ユニット３０における摺動筒３１の前面側に、回転部材７５を挟んで装着されている。
また、保持部材７１は、周方向所定位置に、背面側に突出するバネ係合部７１Ａを備えている。このバネ係合部７１Ａには、回転部材７５における被操作バネ係合部７５Ｂに一端が係合した回転部材バネ７６の他端が係合している。
【００２９】
保持部材７１の前面側には、絞り羽根７２と、絞り操作部材７３とが、ブレ補正ユニット３０における摺動筒３１の前面側に固定された固定枠７４によって装着されている。
絞り羽根７２は、絞りの開閉を制御する弓形の部材であって、保持部材７１と絞り操作部材７３との間に複数枚配置されている。各絞り羽根７２は、保持部材７１側に突出して保持部材７１に支持される図示しない枢着ピンと、カム部材側に突出した図示しないカムピンと、を備えている。
【００３０】
絞り操作部材７３は、円環状の部材であって、図示しないが各絞り羽根７２のカムピンが摺動可能に嵌合するカム溝を備え、固定枠７４に回転自在に支持されている。絞り操作部材７３は、その回転によって、図示しないカム溝が各絞り羽根７２を揺動駆動し、各絞り羽根７２によって形成される絞り開口径を変化させる。本実施形態においては、絞り操作部材７３の図２中矢印Ｂで示す方向の回転によって絞り開口径が大径化し（開放し）、逆方向の回転によって小径化する（絞り込まれる）。
【００３１】
また、絞り操作部材７３は、第１レバー係合突起７３Ａと第２レバー係合突起７３Ｂとを備えている。第１レバー係合突起７３Ａおよび第２レバー係合突起７３Ｂは、それぞれ板状であって、絞り操作部材７３の外周縁部から背面側に延設されている。第１レバー係合突起７３Ａおよび第２レバー係合突起７３Ｂは、それぞれ先端部に所定幅で幅方向に屈曲された係合部７３Ａａ，７３Ｂａを備えている。
【００３２】
第１レバー係合突起７３Ａは、絞り操作環部材５０における絞込みレバー５２と対応している。その係合部７３Ａａは、図２中矢印Ａで示す方向に回転する絞込みレバー５２に対して係合するようになっている。
第２レバー係合突起７３Ｂは、回転制限板６０における操作板部６２と対応している。その係合部７３Ｂａは、図２中矢印Ｂで示す方向に回転する操作板部６２に対して係合するようになっている。
【００３３】
さらに、絞り操作部材７３は、その周縁部の周方向所定位置に、背面側に突出するバネ係合部７３Ｃを備えている。バネ係合部７３Ｃには、操作部材付勢バネ７７の一端が係合している。この操作部材付勢バネ７７の他端は、後述する回転部材７５の操作係合部に係合している。これにより、絞り操作部材７３は、操作部材付勢バネ７７の弾性復帰力によって、回転部材７５に対して図２中矢印Ｂで示す方向に相対回転付勢されている。
【００３４】
回転部材７５は、保持部材７１の背面側に所定の角度範囲で回転可能に装着されている。回転部材７５は、レバー係合突起７５Ａを備えている。レバー係合突起７５Ａは、所定幅の板状であって、回転部材７５の外周縁部から背面側に延設されている。レバー係合突起７５Ａの先端部には、幅方向に屈曲された断面形状コ字状の係合部７５Ａａが形成されている。
レバー係合突起７５Ａは、絞り操作環部材５０における絞込みレバー５２と対応している。その係合部７５Ａａは、図２中矢印Ａで示す方向とは逆方向に回転する絞込みレバー５２に対して係合するようになっている。
【００３５】
また、回転部材７５は、被操作バネ係合部７５Ｂと、操作バネ係合部７５Ｃとを備えている。被操作バネ係合部７５Ｂおよび操作バネ係合部７５Ｃは、回転部材７５の周縁部の周方向所定位置にそれぞれ背面側に突設されている。
被操作バネ係合部７５Ｂには、保持部材７１におけるバネ係合部７１Ａに一端が係合した回転部材バネ７６の他端が係合している。これにより、回転部材７５は、回転部材バネ７６の弾性復帰力によって、保持部材７１に対して図２中矢印Ｂで示す方向とは逆方向に相対回転付勢されている。
操作バネ係合部７５Ｃには、絞り操作部材７３のバネ係合部に一端が係合した操作部材付勢バネ７７の他端が係合している。
【００３６】
つぎに、上記のように構成された絞りユニット７０における開放時における作用について説明する。
絞り操作環部材５０のレンズ側連動部５１が、カメラボディ１０のボディ側連動部１２によって図２中矢印Ａで示す方向と逆方向に回転操作されると、絞込みレバー５２を介して回転部材７５が図２中矢印Ｂで示す方向に回転操作される。これにより、回転部材７５は、回転部材バネ７６の付勢力に抗して図２中矢印Ｂ方向に回転する。絞り操作部材７３の第１レバー係合突起７３Ａは、操作部材付勢バネ７７の付勢力で絞込みレバー５２に追従して移動し、絞り操作部材７３は図２中矢印Ｂ方向に回転する。その結果、絞り羽根７２は開放する側に駆動される。絞り操作部材７３の図２中矢印Ｂ方向への回転は、第２レバー係合突起７３Ｂの係合部７３Ｂａが、回転制限板６０の補正勾配面６２Ａに当接することで規制され、これによって絞り羽根７２の開放絞り開口が規定される。
【００３７】
レンズ鏡筒２０がズーム操作されると、絞りユニット７０はブレ補正ユニット３０と共に光軸ＯＡ方向に移動し、第２レバー係合突起７３Ｂにおける係合部７３Ｂａの周方向における位置（絞り操作部材７３の回転位置）は、回転制限板６０の補正勾配面６２Ａに従って変位する。その結果、ズーム操作による焦点距離に応じて、絞り羽根７２の開放絞り開口が変化する。回転制限板６０における補正勾配面６２Ａは、操作板部６２が先細りになる方向に所定角度で形成されているため、長焦点側（望遠側）へのズーム操作によって絞りユニット７０が前面側に移動すると、絞り操作部材７３は図２中矢印Ｂで示す方向に回転して絞り羽根７２の開放絞り開口は大きくなるものである。
【００３８】
ここで、前述したように、制御基板９０とブレ補正ユニット３０とを接続するフレキシブルプリント基板８０は、回転制限板６０における操作板部６２の内側面６２Ｂに配置されている。
図３に示すように、フレキシブルプリント基板８０は、固定リング２５の外周所定位置に配置された制御基板９０から、絞り機構４０における回転制限板６０と対応する位置までは固定リング２５の外周に沿って配置される。フレキシブルプリント基板８０は、回転制限板６０と対応する位置から回転制限板６０における操作板部６２の内側面６２Ｂに沿って配置されて、ブレ補正ユニット３０に接続されている。フレキシブルプリント基板８０の回転制限板６０への配置部位における幅は、操作板部６２の幅と略一致している。
【００３９】
回転制限板６０（操作板部６２）へのフレキシブルプリント基板８０の配置構造は、下記のように、ブレ補正ユニット３０の移動を許容するようになっている。
すなわち、図４に示すように、フレキシブルプリント基板８０は、固定リング２５の背面側から操作板部６２の内周側（図４中上側）の面に沿って前面側所定位置まで延び、接着剤または両面テープ等の接着部材６３によって操作板部６２に固定される固定部８１を有する。
さらにフレキシブルプリント基板８０は、固定部８１から連続し、その端部で小さな屈曲半径で内周側に折り曲げられて固定リング２５側に延びる第１折曲部８２を有する。
フレキシブルプリント基板８０は、さらに、背面側に向かって固定リング２５近傍まで戻された第１折曲部８２から連続し、自由折曲部８３で再度前面側に向けて屈曲反転される。自由折曲部８３は、フレキシブルプリント基板８０がその可撓性で自然に大きな屈曲半径で屈曲し得るように設定されている。そして、自由折曲部８３からさらに、内周側に位置するブレ補正ユニット３０における背面板３２の基板保持部３２Ａに接着部材６３によって接着されるとともに基板保持部３２Ａに沿って延びて第２折曲部８４を形成し、ブレ補正ユニット３０に接続される。
【００４０】
このようなフレキシブルプリント基板８０の配置構造により、図４（ａ）に示すブレ補正ユニット３０が背面側に位置する広角状態から、図４（ｂ）に示すようにブレ補正ユニット３０が前面側に移動しても、フレキシブルプリント基板８０における自由折曲部８３の位置が変化してブレ補正ユニット３０の移動に無理なく追従できる。
【００４１】
以上、本実施形態によると、以下の効果を有する。
（１）レンズ鏡筒２０は、固定リング２５に配置された制御基板９０からブレ補正ユニット３０に制御情報や駆動電力の供給を行うフレキシブルプリント基板８０が、絞り機構４０における回転制限板６０に沿って配置されている。これにより、フレキシブルプリント基板８０を配置するために専用の部材を設ける必要が無く、スペース効率が向上する。その結果、レンズ鏡筒２０の小型軽量化が可能となる。
【００４２】
（変形形態）
以上、説明した実施形態に限定されることなく、以下に示すような種々の変形や変更が可能であり、それらも本発明の範囲内である。
（１）本実施形態は、固定リング２５に配置された制御基板９０からブレ補正ユニット３０に制御情報や駆動電力の供給を行うフレキシブルプリント基板８０を一系統（一組）備えたものである。しかし、本発明はこれに限らず、複数の系統のフレキシブルプリント基板を備えたものに適用しても良い。
【００４３】
そのような例として、図５に、２系統のフレキシブルプリント基板８０Ｘ，８０Ｙを備えた、図２と対応する絞り機構の斜視図を示す。
図５に示す絞り機構は、固定リング２５における回転制限板６０とは異なる周方向の位置に、前面側に延びる板状の基板ホルダ１００が固定され、この基板ホルダ１００にフレキシブルプリント基板８０Ｙが配置されてブレ補正ユニット３０に接続されている。一方、回転制限板６０には、上述した実施形態と同様にフレキシブルプリント基板８０Ｘが配置されている。
【００４４】
このように、２系統のフレキシブルプリント基板８０Ｘ，８０Ｙを独立して設けることで、ブレ補正ユニット３０におけるＸ軸およびＹ軸方向のアクチュエータに対してそれぞれ独立した最短距離の配線が可能となる等、配線の自由度が向上する。
なお、図５中、図２と同様の構成要素には同符号が付してある。
【００４５】
（２）上記実施形態は、本発明を一眼レフ型のカメラに適用した例であるが、本発明の光学機器は、例えば、スチルカメラ、ビデオカメラ、レンズ鏡筒等とすることができる。
なお、実施形態及び変形形態は、適宜組み合わせて用いることもできるが、詳細な説明は省略する。また、本発明は以上説明した実施形態によって限定されることはない。
【符号の説明】
【００４６】
１：カメラ、１０：カメラボディ、１１：撮像素子、１２：ボディ側連動部、２０：レンズ鏡筒、２５：固定リング、３０：ブレ補正ユニット、４０：絞り機構、５０：絞り操作環部材、６０：回転制限板、６２：操作板部、６２Ｂ：内側面、７０：絞りユニット、７２：絞り羽根、７３：絞り操作部材、７３Ａ：第１レバー係合突起、７３Ｂ：第２レバー係合突起、８０，８０Ｘ，８０Ｙ：フレキシブルプリント基板、９０：制御基板、Ｌ１：第１レンズ群、Ｌ２：第２レンズ群、ＯＡ：光軸
【図１】
2011248009.tif 000003
【図２】
2011248009.tif 000004
【図３】
2011248009.tif 000005
【図４】
2011248009.tif 000006
【図５】
2011248009.tif 000007